(57)【要約】【課題】広い配向とともに小型化を実現した発光装置を提供することを目的とする。【解決手段】基体と、前記基体の一面に設けられた複数の配線部とを備えた可撓性の基板１０、基板１０の一面上に配置され、配線部に電気的に接続された複数の発光素子及び基板１０と発光素子とを封止する封止部材２０を備えてなり、基板１０が湾曲して、封止部材２０の外縁の少なくとも一部が、発光素子が配置された位置より下方に配置されている発光装置。【選択図】図１Ｂ
2014099455.tif 000002
【特許請求の範囲】
【請求項１】
基体と、前記基体の一面に設けられた複数の配線部とを備えた可撓性の基板、
前記基板の一面上に配置され、前記配線部に電気的に接続された複数の発光素子及び
前記基板と前記発光素子とを封止する封止部材を備えてなり、
前記基板は、長手方向に延長する細長い形状であり、該基板が長手方向に直交する短手方向に湾曲して、前記封止部材の外縁の少なくとも一部が、前記発光素子が配置された位置より下方に配置されていることを特徴とする発光装置。
【請求項２】
さらに、前記基板の湾曲状態を保持する固定部材を備える請求項１に記載の発光装置。
【請求項３】
前記基板は短手方向の両端部にそれぞれ係止手段を備える請求項１又は２に記載の発光装置。
【請求項４】
前記発光素子は、基板の一面上に長手方向に一列に配置されている請求項１〜３のいずれか１項に記載の発光装置。
【請求項５】
前記基板の湾曲は、曲率半径Ｒが、３〜５０ｍｍである請求項１〜４のいずれか１項に記載の発光装置。
【発明の詳細な説明】
【技術分野】
【０００１】
本発明は、可撓性基板及び発光素子を備える発光装置に関する。
【背景技術】
【０００２】
従来から、可撓性を有する基板に複数の発光素子を搭載した発光装置が提案されている。このような発光装置では、発光素子は、その輝度及び指向性等を確保するために、レンズ効果を有する透明封止樹脂でそれぞれ被覆されている（例えば、特許文献１）。
このような発光装置では、可撓性を有する基板を導電性パターンの配列方向と平行な方向に湾曲させるために、発光素子のワイヤボンディングを導電性パターンの配列方向と直交する方向に行い、可撓性基板の屈曲変形時にボンディングワイヤの断線、発光素子の剥離を防止している。
【先行技術文献】
【特許文献】
【０００３】
【特許文献１】実開平５−２５７４９号公報
【発明の概要】
【発明が解決しようとする課題】
【０００４】
上述した発光装置は、可撓性を有する基板を導電性パターンの配列方向と平行な方向に湾曲させて利用することにより、広い配光を実現することができる。つまり、可撓性基板の屈曲により、個々の発光素子の光軸の方向を変えて、発光装置として広配光とすることができる。
一方、発光装置では、広い配光を実現しながら、小型化をも実現することが重要な課題である。例えば、直管型蛍光管のように細長い照明装置を作製する場合、内蔵される発光装置として上述した発光装置を用いると、照明装置の長手方向のみならず、短手方向にも複数の発光素子を配列させ、基板を屈曲させることにより、広い配光を得ることが可能であるが、そのために、複数の発光素子のマトリクス状の配列が必要となり、十分な小型化を図ることが困難である。
また、上述した発光装置では、長手及び短手方向に配列した複数の発光素子の光軸方向を考慮すると、発光装置としての色調及び輝度のバラツキが余儀なくされる。
【０００５】
本発明は、上記課題に鑑みてなされたものであり、広い配向及び小型化の双方を実現した発光装置を提供することを目的とする。
【課題を解決するための手段】
【０００６】
本発明は、以下の発明を含む。
（１）基体と、前記基体の一面に設けられた複数の配線部とを備えた可撓性の基板、
前記基板の一面上に配置され、前記配線部に電気的に接続された複数の発光素子及び
前記基板と前記発光素子とを封止する封止部材を備えてなり、
前記基板は、長手方向に延長する細長い形状であり、該基板が長手方向に直交する短手方向に湾曲して、前記封止部材の外縁の少なくとも一部が、前記発光素子が配置された位置より下方に配置されていることを特徴とする発光装置。
（２）さらに、前記基板の湾曲状態を保持する固定部材を備える上記の発光装置。
（３）前記基板は短手方向の両端部にそれぞれ係止手段を備える上記いずれかの発光装置。
（４）前記発光素子は、基板の一面上に長手方向に一列に配置されている上記いずれかの発光装置。
（５）前記基板の湾曲は、曲率半径Ｒが、３〜５０ｍｍである上記いずれかの発光装置。
【発明の効果】
【０００７】
本発明によれば、広い配向及び小型化の双方を実現した発光装置を提供することができる。
【図面の簡単な説明】
【０００８】
【図１Ａ】本発明の発光装置の一実施形態を示す概要平面図である。
【図１Ｂ】図１Ａの長手方向の概要側面図である。
【図１Ｃ】図１Ａの基板湾曲前の短手方向の概要断面図である。
【図１Ｄ】図１Ａの基板湾曲後の短手方向の概要断面図である。
【図２】本発明の発光装置の別の実施形態を示す短手方向の概要断面図である。
【図３】本発明の発光装置のさらに別の実施形態を示す短手方向の概要断面図である。
【図４】本発明の発光装置のさらに別の実施形態を示す基板湾曲前の概要平面図である。
【図５Ａ】本発明の発光装置のさらに別の実施形態を示す基板湾曲前の概要平面図である。
【図５Ｂ】本発明の発光装置のさらに別の実施形態を示す基板湾曲前の概要平面図である。
【図６】本発明の発光装置のさらに別の実施形態を示す基板湾曲前の概要平面図である。
【図７】本発明の発光装置のさらに別の実施形態を示す基板湾曲後の短手方向の概要側面図である。
【図８】本発明の発光装置のさらに別の実施形態を示す基板湾曲後の短手方向の概要側面図である。
【図９】本発明の発光装置のさらに別の実施形態を示す基板湾曲後の短手方向の概要側面図である。
【図１０】本発明の発光装置のさらに別の実施形態を示す基板湾曲後の短手方向の概要縦側面図である。
【図１１Ａ】本発明の発光装置のさらに別の実施形態を示す基板湾曲後の短手方向の概要側面図である。
【図１１Ｂ】図１１Ａの発光装置の固定部材の斜視図である。
【図１２】本発明の発光装置の基板における溝部の形状を説明するための概略平面図である。
【発明を実施するための形態】
【０００９】
本発明の発光装置は、主として、基板と、発光素子と、発光素子を封止する封止部材とを備える。本発明の発光装置は、一実施形態では、基板が湾曲し、封止部材の外縁の少なくとも一部が、発光素子が配置された位置より下方に配置されている。他の実施形態では、さらに固定部材を備えていてもよい。さらに他の実施形態では、本発明の発光装置は、固定部材を備え、この固定部材を利用して、基板が湾曲し、封止部材の外縁の少なくとも一部が、発光素子が配置された位置より下方に又は発光素子が配置された部位の基板の一面と異なる他面より下方に配置されていてもよい。さらに他の実施形態では、本発明の発光装置は、基板が、長手方向に延長する細長い形状であり、この基板が長手方向に直交する短手方向に湾曲した形状を有している。
なお、本明細書では、基板の一面、つまり、基板において発光素子が載置されている側の面を「表面」、基板の他面、つまり、基体の配線部が配置している側とは反対側の面を「裏面」ということがある。
【００１０】
＜基板＞
基板は、少なくとも、基体と、この基体の上に設けられた複数の配線部とを備える。
（基体）
基体は、発光装置の母体となる部材であり、可撓性を有する。基体は、可撓性を有する限り、目的や用途等に応じて、また、発光素子の実装、光反射率、他の部材との密着性などを考慮して、適切な材料を用いて形成することができる。そのような材料としては、例えば、プラスチック、金属箔等の絶縁性又は導電性材料で構成されたものが挙げられる。具体的には、ポリエチレンテレフタレート、ポリイミドなどの樹脂が好ましい。特に、発光素子の実装にはんだを用いる場合には、耐熱性の高いポリイミドを用いることがより好ましい。また、基体を形成する材料に、光反射率の高い材料（例えば、酸化チタン等の白色フィラーなど）を含有させていてもよい。
基体の厚みは可撓性を損なわない範囲で、例えば、１０μｍ〜５００μｍ程度が挙げられ、１０μｍ〜２００μｍ程度、１０μｍ〜１００μｍ程度が好ましい。
【００１１】
基体は、目的や用途等に応じて、適切な形状（大きさ、長さ、幅）とすることができる。例えば、四角形、長方形、多角形、円形、楕円形及びそれらを組み合わせた形状等が挙げられる。本発明の発光装置を直管の蛍光灯などに使用する場合には、長手方向に延長した細長い形状を有し、短手方向の幅に比して、１０倍以上の長さを有するような長尺形状とするのが好ましい。例えば、長手方向の長さと短手方向の長さとの比は、５〜２００：１程度が挙げられ、５〜１００：１程度、１０〜３０：１程度、１０〜２０：１程度がより好ましい。
【００１２】
可撓性の基体は、湾曲又は屈曲など、変形させて用いることができるため、例えば、発光装置を１つ用いる場合、それが組み込まれる筐体の幅、長さよりも、数ｍｍ〜数ｃｍ程度の大きいものを用いることができる。また、複数個用いる場合でも、それぞれを足し合わせた面積が筐体より数ｍｍ〜数ｃｍ程度大きくなるようなものを用いてもよい。
例えば、直管型照明用の光源、具体的には、約１２０ｃｍの直管型（４０型）照明の場合、幅が０．５ｃｍ〜５ｃｍで、長さが１００ｃｍ〜１５０ｃｍの基体を用いた発光装置を１つ用いてもよく、幅が０．５ｃｍ〜５ｃｍで、長さが２０〜７０ｃｍの基体を用いた発光装置を複数用いてもよい。
【００１３】
可撓性を有する長尺形状の基体（基板）は、複数個分合わせてロール・ｔｏ・ロール方式で製造することができる。この場合、基体にスプロケットホールを有していてもよい。
【００１４】
（配線部）
複数の配線部は、導電部材として形成されており、基体の一面上に配置され、発光素子に直接または間接的に接続される。また、発光素子を載置していてもよい。配線部は、例えば、銅及びアルミニウム等の金属又は合金の単層又は積層構造の導電性薄膜によって形成することができる。配線部は、基体の一面上のみならず、基板の種類によっては、基板の内部又は他面に配置されていてもよい。
配線部の厚みは、その可撓性を損なわない厚みであることが好ましく、例えば、８μｍ〜１５０μｍ程度が挙げられる。
【００１５】
複数の配線部の形状（パターン）は、特に限定されるものではなく、通常、発光素子を搭載又は発光素子に接続される基板等における配線の形状又はパターンと同様又は準じた形状等、さらに放熱性及び／又は強度等を考慮した形状とすることが好ましい。例えば、クランク形状、三角形、四角形等の多角形、円、楕円等の角のない形状、これらの形状に部分的に凹凸を有する形状等の１種又はこれらを２種以上組み合わせた形状が挙げられる。なお、配線部の角部は、丸みを帯びていることが好ましい。
【００１６】
複数の配線部は、互いに離間するように配置されている。このような配線部は、正負一対として構成されていればよく、正負一対の配線部を構成する、導電に寄与し得るそれぞれの配線部の数は特に限定されない。例えば、一対の配線部のそれぞれが、１つの配線部のみによって構成されていてもよいし、複数の配線部によって構成されていてもよい。
【００１７】
配線部は、比較的大面積で、種々の形状を有する配線部を組み合わせて配置することにより、発光装置の配置自由度を高めることができる。例えば、基体が長方形の場合には、長手方向に３個ずつ、短手方向に２個ずつ並べられた６個の配線部を１ブロックとして並列に接続し、長手方向に並べられた１２ブロックを、正負一対の配線部によって直列に接続することなどが可能になる。また、基体が略正方形、円形又は楕円形状であり、１つの発光素子を通常の正負それぞれの配線部に接続したものであってもよい。
【００１８】
発光素子に直接または間接的に電気的に接続されるこれらの配線部（つまり、導電に寄与する配線部）に加えて、同様又は異なる形状等であって、通電に寄与しない配線部が配置されていてもよい。この通電に寄与しない配線部は、放熱部材又は発光素子の載置部として機能させることができる。例えば、基体が長手方向に延長した細長い形状の場合には、この通電に寄与しない配線部は、長手方向の端部まで延長され、短手方向において、配線部の両側に配置されることが好ましい。また、配線部は、配線部への電源の供給を可能とする端子を配置しておくことが好ましい。これにより、外部電源から発光素子に給電することができる。
【００１９】
このような配線部は、その一部を可撓性基体の略全体にわたって配置（好ましくは、切れ目なく配置）させると、基板が湾曲した場合などの発光素子及び後述する封止部材への応力負荷を軽減することができる。そのような配置としては、例えば、配線部が、長手方向に延長した細長い形状の基体において、その短手方向に延長した配置が挙げられ、短手方向の１／３〜１倍の長さ分での配置が好ましい。
【００２０】
上述したように、複数の配線部は、基体の一表面においてそれぞれ分離されているため、配線部が設けられていない溝部（すなわち、基体が露出している部分）を有することになる。溝部は、配線部間に配置されることから、その形状は配線部の形状に対応しており、例えば、クランク形状等が挙げられる。溝部の幅は、配線部の幅より狭いこと、言い換えると、配線部が広い面積で設けることが好ましく、例えば０．０５ｍｍ〜５ｍｍ程度とすることができる。
【００２１】
配線部（導電に寄与する／寄与しない配線部の双方を含む）は、基体の一面において、できるだけ広い面積で設けられることにより、放熱性を高めることができる。
可撓性を有する基体を用いる場合、配線部が基体の一表面において全面に比較的大面積で配置されていることにより、その可撓性を保持ながら、かつ、適度な強度を付加することができ、可撓性基板の屈曲による配線部の断線、基板自体の破断等を有効に防止することができる。具体的には、基体の面積に対して５０％以上が好ましく、７０％以上がより好ましく、８０％以上、８５％以上９０％以上の面積で配線部を設けることがさらに好ましい。また、配線部の電気的な分離が必要な場合には、それが確保できるように、９８％程度以下、９５％程度以下の面積で配置されることが好ましい。
【００２２】
（被覆膜）
配線部は、通電に必要な部位以外は、絶縁性の被腹膜で被覆されていることが好ましい。被覆膜は、発光素子から出射される光の反射膜として機能し得るものが好ましい。
【００２３】
被覆膜は、配線部の通電に必要な部位以外を被覆するために、後述するように、その一部に配線部を露出するような開口を有しており、この開口を除いて、基板の表面の略全面を被覆していることが好ましい。つまり、被覆膜は、発光素子を正負一対の配線部に接続するために、配線部を露出するように開口を有していることが好ましい。なかでも、正負一対の配線部の一部を開口から露出させ、かつ、上述した配線間の溝部を被覆するように配置されていることが好ましい。
【００２４】
開口の形状及び大きさは、特に限定されるものではなく、発光素子の配線部への電気的な接続を可能とする最小限の大きさが好ましい。
１つの基板における開口の数は特に限定されるものではなく、例えば、１つの基板に搭載する発光素子の数に応じて適宜調整することができる。
【００２５】
通常、発光装置としての出力及び配光等に応じて必要な発光素子の数及び配置が調整され、それによって開口の数及び位置が決定される。開口は、搭載する発光素子の数と同じであってもよいし、異なっていてもよい。例えば、発光素子を２０個搭載する場合であって、１つの発光素子と１つの開口内に載置する場合は、被覆膜には２０個の開口が配置される。あるいは、1つの開口に２つ以上の発光素子を載置させる場合、１０個以下の開口が配置される。
【００２６】
場合によっては、必ずしも開口内に発光素子が載置されていなくてもよい。例えば、発光装置をいくつかのランク（例えば、出力の異なる発光装置）に作り分ける場合、同じ基板（すなわち、被覆膜に設けられる開口の数及び配置が同じもの）を用いて、開口内に搭載する発光素子の数を変えることで、出力を異ならせることができる。この場合、発光素子が搭載されていない開口が生じる。また、上述した端子など、発光素子に通電させるための部材等を配置する領域に、被覆膜のない領域（開口）が形成されていてもよい。
ただし、開口内に配線部が存在しない部位、つまり、基体自体が露出する部位においては、その表面が、被覆膜で被覆されていることが好ましい。基体の種類によっては、発光素子からの光を吸収することがあるが、これを回避するためである。
【００２７】
被覆膜は、樹脂、例えば、フェノール樹脂、エポキシ樹脂、ＢＴレジン、ＰＰＡ、シリコーン樹脂、ユリア樹脂等により形成することができる。また、被覆膜は、発光素子の出射光及び後述する波長変換部材により変換された波長の光を反射する材料によって形成されることが好ましい。従って、上述した樹脂に、例えば、ＳｉＯ２、ＴｉＯ２、Ａｌ２Ｏ３、ＺｒＯ２、ＭｇＯ等のフィラーを含有させることが好ましい。
【００２８】
被覆膜は、比較的薄い厚みで設けることが好ましく、特に、被覆膜よりも高い位置に発光素子の上面が位置するような厚みに設定することが好ましい。具体的には、被覆膜の膜厚は、０．５μｍ〜５０μｍ程度が挙げられる。
【００２９】
このように構成される基板の合計厚みは、上述した各構成部材の厚みによって調整することができるが、例えば、０．０５〜０．１５ｍｍ程度、好ましくは０．０７〜０．１２ｍｍ程度とすることができる。なお、基板は、上述した基体、配線部及び被覆膜をそれらの間に接着剤等（例えば、シリコーン系接着剤、エポキシ系接着剤、アクリル系接着剤等、厚み：数μｍ〜数十μｍ）を介在させて積層させてもよいし、めっき、熱圧着等を利用して積層させてもよい。
【００３０】
基板は、上述したように、可撓性を有するため、種々の適用に対して適宜形状を変形させた状態で利用することができる。基板は、いずれの方向にも湾曲可能である。例えば、基板は、半球状、半楕円体状、半卵形状等に近似する形状とすることができるが、発光装置の用途、特性等によって、配向を広げたい方向において湾曲させることが好ましい。そのために、側面視において、ドーム状、凹型形状、ドーナツ状、波状、螺旋状等の種々の形状とすることが可能である。なかでも、側面視において、ドーム状、ドーナツ状等が好ましい。
【００３１】
例えば、基板が長手方向に延長する細長い形状の場合、長手方向に平行な基板の縁が弧を描くように基板を湾曲させてもよいが、長手方向に直交する短手方向に平行な基板の縁が弧を描くように基板を湾曲させていることが好ましい。このような湾曲により、例えば、直管型蛍光管のように細長い照明装置を作製する場合においても、短手方向に単数の発光素子を配置するのみで広い配向を実現することができる。また、発光素子の光軸の方向を適当な位置に調整することが可能となり、発光装置としての色調及び輝度のバラツキを回避することが可能となる。
ただし、後述するように、発光素子の光軸の方向を変えて、発光装置として広配光とするためには、基板が湾曲した状態で、後述する封止部材が基板から剥がれることなく、確実に基板の一部と発光素子とに密着し、発光素子から出射される光が、封止部材を透過せずに漏れることがない状態に構成されていることを要する。
【００３２】
（基板の湾曲）
封止部材の直径にかかわらず、基板が湾曲した形態では、封止部材の外縁の少なくとも一部は、発光素子が配置された位置より下方に配置されていることが好ましい。詳細には、基板が湾曲した形態において、封止部材の外縁の一部は、基板が湾曲していない状態での発光素子の下面よりも下方（基板が湾曲していない場合の基板の裏面の方）に配置されていることが好ましく、基板が湾曲していない状態での発光素子が載置された位置の基板表面（例えば、被覆層の表面、配線部の表面、基体の表面等）よりも下方に配置されていることがより好ましく、基板が湾曲していない状態での裏面の位置と一致する程度に、下方に配置されていること又は基板が湾曲していない状態での裏面より下方に配置されていることがさらに好ましい。
【００３３】
ここでの下方の程度は、例えば、封止部材の外縁の少なくとも一部が、基板が湾曲していない場合の基板厚みの２０％程度以上、３０％程度以上、５０％程度以上、８０％程度以上裏面側に位置する程度、基板の厚みに相当する程度が挙げられ、言い換えると、基板の厚みの２０〜５００％程度の範囲内、５０〜５００％程度の範囲内、８０〜５００％程度の範囲内、２０〜３００％程度の範囲内、８０〜３００％程度の範囲内、１００〜３００％程度の範囲内が好ましい。
また別の観点から、発光装置の断面において、基板の湾曲は、後述する封止部材が（Ｒ−Ｒ・cosθ）程度伸びるように設定されるが、この場合の（Ｒ−Ｒ・cosθ）が、基板の厚みの２０％程度以上、３０％程度以上、５０％程度以上、８０％程度以上、１００％程度以上、２０〜５００％程度、５０〜５００％程度、８０〜５００％程度、８０〜３００％程度、２０〜３００％程度、１００〜３００％程度であることが好ましい。
【００３４】
さらに別の観点から、基板の湾曲は、曲率半径（例えば、図１Ｄの「Ｒ」）が５０ｍｍ〜３ｍｍ程度、４０ｍｍ程度以下、２０ｍｍ程度以下、１０ｍｍ程度以下とすることができる。また、基板の湾曲は、曲率半径Ｒが、後述する封止部材の直径に対して５０％以上大きいことが好ましく、１００％以上大きいことがより好ましい。あるいは、基板の湾曲は、基板が長手方向に延長する細長い形状の場合、曲率半径Ｒが、基板の短手方向の長さに対して３００％〜１５％程度等であってもよい。ここで、封止部材の直径とは、基板が湾曲していない状態での封止部材側から見た平面図における直径を意味する。
【００３５】
基板が湾曲して保持される場合、発光装置が部分的又は全体的に屈曲しないよう、つまり、全体的に緩やかなカーブを描くように湾曲させることが好ましい。そのために、例えば、配線部の形状などを調整することが好ましい。具体的には、配線部及び基体のうち、基体の方が先に折れ曲がるような強度差を有する場合、つまり、基体よりも配線部の方が高強度の場合、基体の強度の弱い部位（例えば、溝部等）が、湾曲方向に対して垂直に配置する部位の面積を少なくすることが挙げられる。例えば、図１２に示すように、配線部１２間に配置される溝部１４として、ジグザグ形状Ｚが多数導入された溝部の形状とすることなどが挙げられる。
【００３６】
（基板の保持）
基板の湾曲状態を保持するために、一実施形態では、基板が係止手段を備えていてもよい（図４〜図６参照）。
係止手段としては、スリット、貫通孔、凸部、凹部、突起部等が挙げられる。これらの係止手段は、基板の一端部又は一端部近傍に配置することによって、基板の湾曲状態を保持することができる。ここでの一端部又は一端部近傍とは、長手方向の一端部であってもよいが、短手方向の一端部であることが好ましい。例えば、スリットとスリット、貫通孔と凸部、貫通孔と突起部、凸部と凹部、凹部と突起部等との一対をそれぞれ、基板の両端部又は両端部近傍に配置することが好ましい。なお、この係止手段の一対は、長手方向に１つのみ配置してもよいが、複数個配置することが好ましい。このような係止手段は、例えば、基板の端部に切り込み、切欠き、貫通孔を形成する、基板の端部の形状を凸状、凹状に加工する、基板の端部の表面及び／又は裏面に、基体及び／又は被覆膜の一部を厚膜状に形成するなど、基板自体に、基板自体で形成することができる。
【００３７】
また、基板の湾曲状態を保持するために、他の実施形態では、基板を保持するための固定部材を別個に利用してもよい（図７〜図１１Ｂ参照）。
このような固定部材としては、上述したように、意図する基板の湾曲に対応する曲率半径を有する曲面を有する支持体、基板の端部を固定し得る凸部、凹部、突起部、穴、貫通孔、スリット等を備えた部材などが挙げられる。特に、直管型蛍光管のように細長い照明装置を作製する場合、発光装置を収容する管内に、上述した基板の端部を固定し得る凸部、凹部、突起部、穴、貫通孔、スリット等が配置された部位を設けてもよい。固定部材の材質は、特に限定されず、プラスチック、ガラス、金属、セラミックス等種々の材質のものが挙げられる。
【００３８】
基板の湾曲状態を保持するために、さらに他の実施形態では、上述した係止手段および固定部材の双方を利用してもよい。
【００３９】
＜発光素子＞
発光素子は、基板上の上述した被覆膜の開口部の内側において、２つの配線部を跨いで又は１つの配線部上に配置される。このような配置により、発光素子を正負対となる配線部に電気的に接続することができる。特に、２つの配線部を跨いで配置される場合には、溝部での基板の屈曲を防止して、緩やかなカーブを描くように湾曲させやすくすることができる。
複数の発光素子は、発光装置として必要な出力及び配光を充足するように、その個数及び／又は色調及び／又は配置が決められる。従って、これに応じて、上述したように、配線部及び／又は被覆膜の開口部等の形状及び位置等が調整される。
【００４０】
発光素子は、半導体構造と、ｐ側電極と、ｎ側電極とを有する。
半導体構造は、例えば、透光性を有するサファイア基板上に順次積層された窒化ガリウム系半導体からなるｎ型層、活性層及びｐ型層等によって形成することができる。ただし、窒化ガリウム系半導体に限らず、ＩＩ−ＩＶ族、ＩＩＩ−Ｖ族半導体のいずれを用いてもよい。
ｎ側電極及びｐ側電極は、公知の電極材料の単層膜又は積層膜によって形成することができる。
【００４１】
発光素子は、基板上に、フリップチップ実装されていてもよいし、フェイスアップ実装されていてもよい。
フリップチップ実装される場合には、発光素子のｐ側電極及びｎ側電極は、一対の接合部材を介して一対の配線部にそれぞれ接続される。接合部材としては、Ｓｎ−Ａｇ−Ｃｕ系、Ｓｎ−Ｃｕ系、Ａｕ−Ｓｎ系等のはんだ、Ａｕ等の金属のバンプ等を用いることができる。
特に、本発明の発光装置は、基板が湾曲していることから、発光素子に接続されるワイヤ等の断線を回避するために、フリップチップ実装によって、発光素子の正負双方の電極が後述する接合部剤によって強固に接続されていることが好ましい。
フェイスアップ実装される場合には、発光素子は、樹脂などの絶縁性接合部材、上述の導電性の接合部材によって基体上（配線部上）に固定され、ワイヤによって配線部に電気的に接続される。発光素子の基板が導電性の場合は、上述の接合部材によって電気的に接続される。
【００４２】
基板の一表面には、発光素子のみならず、電子部品（例えば、ツェナーダイオード、ブリッジダイオード等の保護素子、外部接続用の端子、ヒューズ、抵抗等の関連部品）が配置されていてもよい。このような保護素子及び関連部品は、発光素子が載置された被覆膜の開口内に、一緒に配置してもよいし、それ以外に別途開口を設け、その開口内に配置してもよい。ただし、発光素子からの光を吸収しない位置に配置することが好ましく、発光素子と同数の保護素子は必要ではないため、例えば、複数個の発光素子が直列接続された配線部に１つの保護素子を載置させ、その際に、発光素子の配置に関係なくコネクタ付近に載置させるなど、任意の位置に載置させることが好ましい。
【００４３】
発光素子は、その構造、その構成材料、印加電圧等によって、その明るさを調整することができる。また、発光装置において、発光素子の数を増減することにより、発光装置自体の明るさを調整することができる。従って、本発明の発光装置は、発光素子の種類及び／又は数等を適宜調整することにより、例えば、直管型（４０型）照明用の光源の場合、発光素子の合計明るさは、色温度５０００Ｋにおいて２０００ｌｍ以上の明るさを実現することができる。これによって、従来から使用されている直管、環形及びコンパクト形等の種々の形状の蛍光灯等に相当する又はこれ以上の特性を維持しながら、より小型／軽量で、種々の適用部位又は場所、形態で利用することができる。
【００４４】
＜封止部材＞
封止部材は、基板上において、発光素子をそれぞれ封止（被覆）し、上述したように、その外縁の少なくとも一部が、発光素子が配置された位置より下方に配置されている。１つの発光素子は、１つの封止部材で被覆することが好ましいが、２つ以上の発光素子が１つの封止部材に封止されていてもよい。封止部材は、発光素子からの光に対して透光性で、かつ、耐光性及び絶縁性を有するものが好ましい。この封止部材は、上述した被覆膜の開口の全てを被覆するように配置されていることが好ましいが、開口の一部を被覆しないように配置されていてもよい。ここでの透光性とは、発光素子の出射光の６０％程度以上を透過する性質、好ましくは７０％以上又は８０％以上の光を透過する性質を意味する。
【００４５】
本発明の発光装置は、その製造時、つまり、基体、配線部及び被覆層の積層による基板を製造し、発光素子を基板上に搭載して配線部と電気的な接続を行い、発光素子等を封止部材で被覆する時には、可撓性の基板を湾曲させるように製造し、基板を湾曲させた状態で加工等行ってもよいが、通常、基板は平坦な状態で製造、加工される。従って、封止部材を形成する場合、可撓性の基板を湾曲させた状態で、例えば、ポッティング、印刷等により形成する場合には、基板の湾曲に沿って封止部材が確実に基板に密着した状態で形成されることになる。可撓性の基板を平坦な状態で、封止部材を、例えば、ポッティング、印刷等により形成する場合には、基板を湾曲させた際に、封止部材が確実に基板に沿って湾曲／その表面が拡張して、基板に密着した状態を維持することを要する。そのために、封止部材は、基板に対して密着性の良好な材料を選択して形成することが好ましい。また、封止部材を基板に対して密着させるために、後述するように、両者に対して密着性の良好な材料層を介在させてもよい。
【００４６】
封止部材は、具体的には、シリコーン樹脂組成物、変性シリコーン樹脂組成物、エポキシ樹脂組成物、変性エポキシ樹脂組成物、アクリル樹脂組成物等、シリコーン樹脂、エポキシ樹脂、ユリア樹脂、フッ素樹脂及びこれらの樹脂を少なくとも１種以上含むハイブリッド樹脂等の樹脂によって形成することができる。
【００４７】
封止部材は、発光素子から出射される光を吸収して異なる波長の光に変換する蛍光体等の波長変換部材を含有していることが好ましい。このような波長変換部材としては、例えば、酸化物系、硫化物系、窒化物系の蛍光体などが挙げられる。例えば、発光素子として青色発光する窒化ガリウム系発光素子を用いる場合、青色光を吸収して黄色〜緑色系発光するＹＡＧ系、ＬＡＧ系、緑色発光するＳｉＡｌＯＮ系（βサイアロン）、赤色発光するＳＣＡＳＮ、ＣＡＳＮ系の蛍光体を単独で又は組み合わせて用いることが好ましい。また、照明用途としては、ＹＡＧ系又はＬＡＧ系の蛍光体とＳＣＡＳＮ又はＣＡＳＮ蛍光体とを組み合わせて用いることが好ましい。
また、封止部材は、光散乱材（硫酸バリウム、酸化チタン、酸化アルミニウム、酸化珪素など）を含有していてもよい。
【００４８】
封止部材の形状は、特に限定されるものではないが、発光素子から出射される光の配光性及び指向性を考慮して、凹レンズ又は凸レンズ形状が挙げられるが、なかでも、半球形状の凸レンズとすることが最も好ましい。
【００４９】
封止部材の大きさは、特に限定されず、発光装置の輝度、指向性等を考慮して適宜調整することができる。特に、封止部材は、可撓性基板の可撓性を損なわない程度の大きさであることが好ましく、例えば、発光素子の全てを被覆することができる大きさ以上であって、発光素子の一辺の長さの２倍程度の径又は長さ以上であることがより好ましい。具体的には、一辺（直径）１ｍｍ〜４ｍｍ程度が挙げられる。
封止部材は、その外縁が、被覆膜上に配置されていてもよいし、被覆膜の開口内に配置されていてもよい。
【００５０】
封止部材は、発光素子を被覆する限り、発光素子に直接接触していなくてもよく、発光素子との間に空洞を有していてもよいし、発光素子の上方では、発光素子に接触するが、発光素子の外周では、基板を構成する被覆膜及び配線層と必ずしも直接接触せず、後述する樹脂層を介して配置されていてもよい。
例えば、図２に示すように、樹脂層４１の上に、封止部材の外縁が配置される場合であっても、封止部材の外縁の少なくとも一部は、上述したように、発光素子が配置された位置よりも下方に配置されることが好ましい。
【００５１】
（樹脂層）
上述したように、封止部材を基板に確実に密着させるために、封止部材及び基板に対して密着性の良好な材料層を、それらの間に介在させることができる。このような材料層としては、両者の密着性を確保するのみならず、他の機能を備えていてもよく、例えば、以下に示す樹脂層が挙げられる。
樹脂層は、発光素子の側方（外周）において、例えば、被覆膜に設けられた開口内、被覆膜の開口の外周又は開口内から開口の外周、つまり、被覆膜上にまでおよんで配置されていてもよい。また、配線部の有無にかかわらず、例えば、配線部間の溝部及び／又は発光素子の直下に配置されていてもよい。
【００５２】
樹脂層は、発光素子の外縁（側面）に接していることが好ましい。通常、発光素子の基板上への搭載は、接合部材等を用いて行うが、この接合部材及び／又は基体の一部表面（例えば、配線部等）等は、樹脂層を構成する材料よりも、通常、光による劣化が生じやすい。従って、発光素子の近傍において、この接合部材及び／又は基体の一部表面等が樹脂層に被覆されるように配置されることが好ましい。これによって、発光素子から出射される比較的強い光を接合部材及び／又は基体等に直接照射されることがなくなるため、発光装置を構成する部材の光劣化を効果的に防止することができる。
【００５３】
樹脂層の発光素子と反対側の端部は、前述の封止部材の外縁内であってもよいし、外縁と一致してもよいし、外縁外であってもよい。なかでも、略外縁と一致するか、外縁外に配置することが好ましい。これにより、樹脂層と封止部材との接触面積を確保しやすくなるために、より強固に、封止部材を発光装置、特に、樹脂層及び基板に密着させることができる。
【００５４】
言い換えると、樹脂層の大きさ、つまり、発光装置を光取り出し方向から見た場合の平面積は、発光素子の平面積を除いた封止部材の平面積に対して、同等であってもよいし、大きくてもよいし、小さくてもよい。特に、発光素子の平面積を除いた封止樹脂の平面積の１／５〜３倍程度、１／４〜３倍程度が好ましく、１／３〜１．５倍がより好ましい。このように、樹脂層が配置する平面積が大きければ、封止部材との接触面積が増大するため、両者の密着性により、発光装置の封止部材の基板への密着性をより一層強固なものとすることができる。
【００５５】
樹脂層は、例えば、数μｍ〜数百μｍ程度の範囲内の膜厚で配置することができる。特に、発光素子に接触する部分は、発光素子の側面の高さに相当する膜厚以下であることが好ましい。樹脂層が、開口内全体に配置される場合には、開口の縁と接触する部分は、開口の深さに相当する膜厚以下であることが好ましい。特に、発光素子から、その外側（発光素子の中心に対して外側）に向かって減少する厚みであることが好ましい。
【００５６】
樹脂層は、例えば、シリコーン樹脂組成物、変性シリコーン樹脂組成物、エポキシ樹脂組成物、変性エポキシ樹脂組成物、アクリル樹脂組成物等、シリコーン樹脂、エポキシ樹脂、ユリア樹脂、フッ素樹脂及びこれらの樹脂を少なくとも１種以上含むハイブリッド樹脂等をベースポリマーとして含有する樹脂によって形成することができる。なかでも、シリコーン樹脂、エポキシ樹脂等をベースポリマーとして含有する樹脂が好ましい。ここで、ベースポリマーとは、樹脂層を構成する材料中、最も含有重量が多い樹脂を意味する。また、樹脂層は、例えば、ＳｉＯ２、ＴｉＯ２、Ａｌ２Ｏ３、ＺｒＯ２、ＭｇＯなどの反射材及び／又は拡散材を含有させることが好ましい。これにより、効率よく光を反射させることができる。
樹脂層を構成する材料は単独で又は２種以上を組み合わせて用いてもよい。これにより、光の反射率を調整することができ、また、樹脂の線膨張係数を調整することが可能となる。
【００５７】
特に、樹脂層は、上述した封止部材を構成するポリマーと同一ポリマーを含んで形成されることが好ましく、樹脂層を構成するベースポリマーが封止部材と同一のポリマーを含んで形成されることがより好ましく、封止部材のペースポリマーと同一のポリマーをベースポリマーとして形成されていることがさらに好ましい。これによって、封止部材が樹脂層と接触する部位において、両者の適合性、融和性及び相溶性が良好であるために、樹脂層との密着性をより一層確保することができ、封止部材の発光装置、特に基板における強固な密着性を実現することができる。その結果、基板を湾曲させて保持していても、封止部材の基板からの剥がれを防止することができ、発光素子の光軸方向の変更を可能にし、さらに、より広い範囲への光の配向を実現することができる。
【００５８】
本発明の発光装置は、上述したように、可撓性の基板を備え、従来の用途で必要とされる明るさ等の特性及び寿命等を維持／向上させながら、非常に小型／軽量化を実現することができるとともに、より広い配向を実現し、かつ発光素子から出射される光の光軸を適当な位置に調整することができ、ひいては、発光装置の色調および輝度の均一性を図ることができる。
【００５９】
以下に、本発明の発光装置についての具体的な実施の形態を図面に基づいて説明する。
（実施の形態１）
この実施の形態１の発光装置１００は、図１Ａ〜図１Ｄに示すように、基板１０と、基板１０の表面に配置された発光素子３０と、基板１０上であって発光素子３０を被覆する封止部材２０とを有する。
【００６０】
基板１０が湾曲していない状態において、図１Ｃに示すように、基板１０は、ポリイミド（膜厚２５μｍ程度）からなる可撓性を有する基体１１と、その一面に設けられ、溝部１４によって分離された配線部１２（膜厚３５μｍ程度）と、その上に被覆された絶縁性を有する被覆膜１５（膜厚１５μｍ程度、酸化チタン含有シリコーン系樹脂からなる）とが、接着剤（シリコーン系接着剤）を介して積層された積層構造によって形成されている。被覆膜１５は、反射性をも有している。
基板１０は、発光素子３０との電気的な接続のために、その一部領域において、配線部１２間の溝部１４と、配線部１２とを、開口によって被覆膜１５から露出させている。
配線部１２のうち、一対の配線部は外部端子と接続されている（図示せず）。
【００６１】
発光素子３０は、半導体構造と、ｐ側電極と、ｎ側電極とを有する（図示せず）。半導体構造は、一部領域において、ｐ型半導体層及び発光層が除去されて、ｎ型半導体層が露出しており、その露出面にｎ側電極が形成されている。ｐ型半導体層の上面にはｐ側電極が形成されている。従って、ｎ側電極とｐ側電極とは、半導体構造に対して同じ面側に形成されていることとなる。
このような発光素子３０は、基板１０の被覆膜１５から露出した一対の配線部１２に、ｎ側電極及びｐ側電極が配置された面を下に向けて、接合部材３５によって電気的に接続されている。接合部材３５は、通常、発光素子３０の縁から、その外周にはみ出して配置されている。
【００６２】
基板１０表面の発光素子３０が配置された領域の周囲及びその直下の一部には、樹脂層４０が配置されている。樹脂層４０は、例えば、酸化チタンが３０重量％程度含有されたシリコーン樹脂によって形成されている。
この樹脂層４０は、発光素子３０の外縁、かつ接合部材３５上から、発光素子の外周であって、被覆膜１５の開口内の全部及び被覆膜１５上に及んで配置している。樹脂層４０の厚みは、発光素子３０側においては、発光素子３０の高さと略同じ厚みであり、接合部材３５上においては徐々に薄くなり、被覆膜１５上において、１０μｍ程度の厚みとなっている。
また、樹脂層４０の発光素子３０側端部から、その反対側の端部までの長さは１ｍｍ程度である。
樹脂層４０が、発光素子３０の外周において比較的大面積で配置される場合には、通常、接合部材３５、配線部１２等との密着性が良好でない封止部材２０を、より密着性が良好な樹脂層４０と、より大面積で接触させることができるために、封止部材２０を、基板１０に対して、強固に密着させることができる。
樹脂層４０は、接合部材３５、配線部１２よりも、反射率が高いため、より一層効率的に発光素子からの光取り出しを行うことができる。
【００６３】
発光素子３０が搭載された基板１０上であって、発光素子３０、その周囲に配置された樹脂層４０、この樹脂層４０直下から発光素子３０の外側に配置された被覆膜１５の上に、封止部材２０が形成されている。封止部材２０は、例えば、蛍光体（ＬＡＧ・ＳＣＡＳＮ）が１０重量％程度含有されたシリコーン樹脂によって形成されている。つまり、封止部材２０は、樹脂層を構成するポリマーと同種のポリマーを含む。
封止部材２０の外縁は、基板１０の被覆膜１５上に配置されている。封止部材２０は、基板１０が平坦な状態でボッティングすることによって、半円球状に成形されている。
封止部材２０の直径ｒは、基板１０が湾曲していない状態で、例えば、３．５ｍｍ程度である。
【００６４】
基板１０が湾曲した状態において、図１Ｄに示すように、基板１０は、封止部材の外縁の少なくとも一部が、発光素子が配置された位置より下方に配置されるように保持されている。つまり、基板１０の湾曲に伴って、封止部材２０の表面が拡張し、その外縁の一部が、発光素子３０が配置された部位の基板１０の裏面よりも下方（発光素子下面よりも、基板１０の裏面側）に位置している。
湾曲した状態は、例えば、曲率半径Ｒの円筒形の固定部材（例えば、図８の「８３」参照）に発光装置の基板１０を貼り付けることで維持されている。これによって、封止部材２０のアスペクト比（半径：高さ）は、ｒ：ｒ＋Ｒ−Ｒ・cosθとなる。ここで、ｒは、断面視における封止部材２０の半径である。
【００６５】
このような構成によって、発光装置１００では、例えば、図１Ｄにおける（Ｒ−Ｒ・cosθ）分発光素子における配向を広げることができる。
【００６６】
このように、基板１０が湾曲して保持されている状態でも、樹脂層４０が比較的広い面積で配置しているために、封止部材２０を、基板１０の湾曲に良好に追従させ、強固に密着させることができる。つまり、封止部材２０が、樹脂層４０と同一のベースポリマーを含有して配置されるために、両者の密着性を確保することができる。
【００６７】
（実施の形態２）
この実施の形態２の発光装置２００は、例えば、図２に示すように、封止部材２０の外縁が、基板１０の被覆膜１５の上に及ぶ樹脂層４１の上に配置されている以外、発光装置１００と実質的に同じ構成を有する。
つまり、この発光装置２００の封止部材２０の外縁は、樹脂層４１を介して被覆膜１５の上方に配置されており、封止部材２０の外縁は、それでもなお、発光素子３０が配置された部位の基板１０の裏面よりも下方（発光素子下面よりも、基板１０の裏面側）に位置している。
封止部材２０の直径は、基板１０が湾曲していない状態で、例えば、３．５ｍｍ程度である。
この発光装置１２０においても、実施の形態１の発光装置１００と同様の効果を有する。
このように、封止部材２０が被覆膜１５に接触せず、広い面積で樹脂層４１と接触するために、より一層両者の接触面積を確保することができる。
特に、樹脂層４１が、封止部材２を構成するベースポリマーと同一のポリマーによって形成されている場合には、両者の適合性、融和性及び相溶性が良好であるために、密着性をより強固なものとすることができる。
また、接合部材３５及び配線部１２の表面及びこれらの界面、配線部１２と被覆膜１５との界面を、樹脂層４１によって被覆することができるため、これらの部位の光劣化、光劣化による剥離等を効果的に防止することができる。
【００６８】
（実施の形態３）
この実施の形態３の発光装置３００は、例えば、図３に示したように、発光素子３０がフェイスアップ実装されており、発光素子３０のｎ側電極及びｐ側電極（図示せず）が、それぞれ、ワイヤ１６によって配線部１２に電気的に接続されている以外は、発光装置１００と実質的に同じ構成を有する。なお、ワイヤ１６の延長方向は、基板１０の長手方向に平行と一致させている。
この発光装置３００においても、実施の形態１の発光装置１００と同様の効果を有する。
さらに、ワイヤ１６が基板１０の湾曲方向とは異なる方向に延長することから、ワイヤの断線等を回避することができる。
また、発光素子の側面、開口によって露出する基体、配線部等の表面は、樹脂層によって被覆されていてもよい。
【００６９】
なお、発光素子３０の周辺であって、ワイヤ１６と配線部１２との接続部位に樹脂層が配置されていてもよい。この場合には、樹脂層４０によってワイヤ１６と配線部１２とを被覆することができるため、これらの部位の光劣化、光劣化による剥がれ、断線等を効果的に防止することができる。
【００７０】
（実施の形態４）
この実施の形態４の発光装置１４０は、係止手段として、例えば、図４に示したように、基板４２の長手方向の一端において、長手方向に延長した幅Ｗの貫通孔４３を有し、他端において、基板４２の長手方向の幅Ｑが、貫通孔４３よりも狭く、かつ短手方向の長さＰが貫通孔４３を通り抜ける長さに設定された突出部４４を備え、突出部４４を貫通孔４３に係合させることにより、基板４２が湾曲した形状に保持されている以外、発光装置１００と実質的に同じ構成を有する。
この発光装置１４０においても、実施の形態１の発光装置１００と同様の効果を有する。
【００７１】
（実施の形態５）
この実施の形態５の発光装置１５０は、係止手段として、例えば、図５Ａに示したように、基板５２の長手方向の一端に、鉤状の切り込み５３を備え、他端に、鉤状の切り込みを係止する直線状の切り込み５４を有し、これら鉤状の切り込み５３と直線状の切込み５４を係止させることにより、基板５２が湾曲した形状に保持されている以外、発光装置１００と実質的に同じ構成を有する。
また、直線状の切込み５４に代えて、図５Ｂに示したように、鉤状の切り込み５３と同じ形状で、向きが異なる切り込み５４ａであってもよい。
この発光装置１５０においても、実施の形態１の発光装置１００と同様の効果を有する。
【００７２】
（実施の形態６）
この実施の形態６の発光装置１６０は、係止手段として、例えば、図６に示したように、基板６２の長手方向の一端において、複数の貫通孔６３を有し、他端の裏面側において、貫通孔６３よりも大きな突起部６４を備え、突起部６４を貫通孔６３に押し込むことにより、基板６２が湾曲した形状に保持されている以外、発光装置１００と実質的に同じ構成を有する。
突起部６４は、例えば、基体１１の一部を厚膜にするか、封止部材と同様の材料を同様にポッティングすることにより形成することができる。また、貫通孔６３は、この径よりも大きな突起部６４を押し込み、固定するために、四方に切り込みを有している。
この発光装置１６０においても、実施の形態１の発光装置１００と同様の効果を有する。
【００７３】
（実施の形態７）
この実施の形態７の発光装置１７０は、例えば、図７に示したように、基板７２の短手方向の両端に、固定部材として粘着テープ（又はホッチキス針）７３を貼着して、基板７２が湾曲した形状に保持されている以外、発光装置１００と実質的に同じ構成を有する。
この発光装置１７０においても、実施の形態１の発光装置１００と同様の効果を有する。
【００７４】
（実施の形態８）
この実施の形態８の発光装置１８０は、例えば、図８に示したように、固定部材８３として、半径がＲの円筒状の固定部材を用い、基板８２の裏面に両面テープ（図示せず）を貼着し、この固定部材８３の側面に、両面テープによって基板８２を貼着して、基板８２が湾曲した形状に保持されている以外、発光装置１００と実質的に同じ構成を有する。
この発光装置１８０においても、実施の形態１の発光装置１００と同様の効果を有する。
【００７５】
（実施の形態９）
この実施の形態９の発光装置１９０は、例えば、図９に示したように、固定部材９３として、半径がＲで、半径方向であってかつ円柱が延長する方向に平行に２本のスリット９３ａを有する円柱状の固定部材を用い、基板９２の短手方向の両端を２つのスリット９３ａのそれぞれに挿入することにより、基板９２が湾曲した形状に保持されている以外、発光装置１００と実質的に同じ構成を有する。
この発光装置１９０においても、実施の形態１の発光装置１００と同様の効果を有する。
【００７６】
（実施の形態１０）
この実施の形態１０の発光装置２２０は、例えば、図１０に示したように、固定部材９４として、半円柱形状を有し、その一面に、基板９５の短手方向の長さよりも小さい（例えば１／２）幅を有する凹溝９４ａを備えた固定部材を用い、基板９５の短手方向の両端を凹溝９４ａに押し込むことにより、基板９５が湾曲した形状に保持されている以外、発光装置１００と実質的に同じ構成を有する。
この発光装置２２０においても、実施の形態１の発光装置１００と同様の効果を有する。
【００７７】
（実施の形態１１）
この実施の形態１１の発光装置２１０は、例えば、図１１Ａ及び１１Ｂに示したように、固定部材９７として、半円柱形状を有し、その一面に、基板９６の短手方向の長さよりも小さい（例えば４／５）幅を有する凹溝９７ａを備えた固定部材を用い、基板９５の短手方向の両端を凹溝９７ａに押し込むことにより、基板９６が湾曲した形状に保持されている以外、発光装置１００と実質的に同じ構成を有する。この場合の凹溝９７ａは、その溝側面が面一であってもよいし、内側ほど幅狭となっていてもよいし、図１１Ｂに示すように、その溝側面の底面側にさらに凹部９７ｂを有し、この凹部９７ｂによって基板９６の端部が引っかかり、容易に取り出しできない形状となっている。この凹部９７ｂの高さは、基板９７の厚みよりも大きければよく、より小さくすることにおり、基板９７の湾曲状態をより強力に保持することができる。
この発光装置２１０においても、実施の形態１の発光装置１００と同様の効果を有する。
【産業上の利用可能性】
【００７８】
本発明の発光装置は、照明用光源、各種インジケーター用光源、車載用光源、ディスプレイ用光源、液晶のバックライト用光源、センサー用光源、信号機、車載部品、看板用チャンネルレター等、種々の光源に使用することができる。
【符号の説明】
【００７９】
１００、１５０、１６０、１８０、１９０、２００、２１０、２２０、３００  発光装置
１０、４２、５２、６２、７２、８２、９２、９５、９６  基板
１１  基体
１２  配線部
１４  溝部
１５  被覆膜
１６  ワイヤ
２０  封止部材
３０、３１  発光素子
３５  接合部材
４０、４１  樹脂層
４３、６３  貫通孔
４４  突出部
５３、５４、５４ａ  切り込み
６４  突起部
７３  粘着テープ
８３、９３、９４、９７  固定部材
９３ａ  スリット
９４ａ、９７ａ  凹溝
９７ｂ  凹部
【図１Ａ】
2014099455.tif 000003
【図１Ｂ】
2014099455.tif 000004
【図１Ｃ】
2014099455.tif 000005
【図１Ｄ】
2014099455.tif 000006
【図２】
2014099455.tif 000007
【図３】
2014099455.tif 000008
【図４】
2014099455.tif 000009
【図５Ａ】
2014099455.tif 000010
【図５Ｂ】
2014099455.tif 000011
【図６】
2014099455.tif 000012
【図７】
2014099455.tif 000013
【図８】
2014099455.tif 000014
【図９】
2014099455.tif 000015
【図１０】
2014099455.tif 000016
【図１１Ａ】
2014099455.tif 000017
【図１１Ｂ】
2014099455.tif 000018
【図１２】
2014099455.tif 000019